(57)【要約】【課題】セードの均斉度を確保しつつ、光取出効率を向上できる照明器具を提供する。【解決手段】照明器具10は、器具本体11、発光モジュール12、光源カバー13およびセードを備えている。発光モジュール12は、器具本体11に配設される基板22、および基板22に実装される複数の発光素子23を有する。発光モジュール12には、異なる径の各円周上に沿って複数の発光素子23が配列されて複数列の発光素子列24が設けられている。光源カバー13は、発光素子列24に対向し、配光を制御する環状のレンズ部28と、レンズ部28が対向する発光素子列24とは異なる発光素子列24に対向し、レンズ部28よりも光透過効率が高い環状の光透過部29とが一体に形成されている。セード14は、発光モジュール12および光源カバー13を覆い、器具本体11に取り付けられる。【選択図】図１
2018163785.tif 000002
【特許請求の範囲】
【請求項１】
器具本体と；
前記器具本体に配設される基板、およびこの基板に実装される複数の発光素子を有し、異なる径の各円周上に沿って複数の前記発光素子が配列されて複数列の発光素子列が設けられている発光モジュールと；
前記発光素子列に対向し、配光を制御する環状のレンズ部と、このレンズ部が対向する前記発光素子列とは異なる前記発光素子列に対向し、前記レンズ部よりも光透過効率が高い環状の光透過部とが一体に形成されている光源カバーと；
前記発光モジュールおよび前記光源カバーを覆い、前記器具本体に取り付けられるセードと；
を具備することを特徴とする照明器具。
【請求項２】
前記光源カバーは、前記レンズ部の内径側に前記光透過部が設けられている
ことを特徴とする請求項１記載の照明器具。
【請求項３】
前記光源カバーは、前記レンズ部と前記光透過部とが径方向に隣り合って配置されている
ことを特徴とする請求項１または２記載の照明器具。
【発明の詳細な説明】
【技術分野】
【０００１】
本発明の実施形態は、発光素子を用いた照明器具に関する。
【背景技術】
【０００２】
従来、例えばシーリングライト等の照明器具では、器具本体の下面に発光モジュールおよびこの発光モジュールを覆う光源カバーを配設し、さらに器具本体の下面をセードで覆っている。
【０００３】
発光モジュールは、基板、およびこの基板に実装された複数の発光素子を有している。そして、異なる径の各円周上に沿って複数の発光素子が配列されることにより、径方向に複数列の発光素子列が設けられている。
【０００４】
光源カバーは、発光モジュール全体を覆うものであり、セードの均斉度を向上させるために、各発光素子列に対向して光の配光を制御する複数列のレンズ部を備えている。
【０００５】
しかし、光源カバーが各発光素子列に対向して複数列のレンズ部を備えることにより、セードの均斉度が向上するが、レンズ部による光透過損失が生じるために、光が器具外に取り出される光取出効率が低下している。
【先行技術文献】
【特許文献】
【０００６】
【特許文献１】特開２０１７−５００６６号公報
【発明の概要】
【発明が解決しようとする課題】
【０００７】
本発明が解決しようとする課題は、セードの均斉度を確保しつつ、光取出効率を向上できる照明器具を提供することである。
【課題を解決するための手段】
【０００８】
実施形態の照明器具は、器具本体、発光モジュール、光源カバーおよびセードを備えている。発光モジュールは、器具本体に配設される基板、および基板に実装される複数の発光素子を有する。発光モジュールには、異なる径の各円周上に沿って複数の発光素子が配列されて複数列の発光素子列が設けられている。光源カバーは、発光素子列に対向し、配光を制御する環状のレンズ部と、レンズ部が対向する発光素子列とは異なる発光素子列に対向し、レンズ部よりも光透過効率が高い環状の光透過部とが一体に形成されている。セードは、発光モジュールおよび光源カバーを覆い、器具本体に取り付けられる。
【発明の効果】
【０００９】
本発明によれば、セードの均斉度を確保しつつ、光取出効率を向上することが期待できる。
【図面の簡単な説明】
【００１０】
【図１】一実施形態の照明器具を示し、発光素子列が３列で、光源カバーの内径側と外径側の２列に光透過部を設けた場合の断面図である。
【図２】発光素子列が３列で、光源カバーの中央の１列に光透過部を設けた場合の断面図である。
【図３】基本となる照明器具の分解状態の斜視図である。
【図４】基本となる照明器具の断面図である。
【図５】発光素子列が２列で、光源カバーの内径側に光透過部を設けた場合の断面図である。
【図６】発光素子列が２列で、光源カバーの外径側に光透過部を設けた場合の断面図である。
【図７】発光素子列が２列で、光源カバーの内径側および外径側ともレンズ部の場合のセードの正面視の輝度分布図である。
【図８】発光素子列が２列で、光源カバーがない場合のセードの正面視の輝度分布図である。
【図９】発光素子列が２列で、光源カバーの内径側に光透過部を設けた場合のセードの正面視の輝度分布図である。
【図１０】発光素子列が２列で、光源カバーの外径側に光透過部を設けた場合のセードの正面視の輝度分布図である。
【発明を実施するための形態】
【００１１】
以下、一実施形態を、図面を参照して説明する。
【００１２】
図３および図４に、基本となる照明器具10の構成を示す。
【００１３】
照明器具10は、天井面に設置される引掛シーリングボディにアダプタを介して装着されるシーリングライトである。
【００１４】
照明器具10は、器具本体11を備えている。この器具本体11の下面側に発光モジュール12、光源カバー13およびセード14等が配設され、器具本体11の上面側に電源回路15および電源カバー16等が配設されている。
【００１５】
そして、器具本体11は、金属製で円盤状に形成されている。器具本体11の中央には、アダプタに取り付けられる筒状のアダプタガイド19が取り付けられている。器具本体11の周辺部には、セード14を取り付けるための複数のセード取付金具20が取り付けられている。
【００１６】
また、発光モジュール12は、基板22、およびこの基板22の表面に実装された複数の発光素子23を有している。
【００１７】
基板22は、２つの半環状基板に分割形成されており、これら２つの半環状基板が器具本体11に配置されることによって環状に組み合わされ、図示しない接続線によって２つの半環状基板が電気的に接続されている。基板22の表面に配線パターンが形成され、この配線パターン上に複数の発光素子23が実装されている。
【００１８】
発光素子23は、例えば表面実装形のＬＥＤが用いられている。
【００１９】
発光モジュール12には、基板22の異なる径の各円周上に沿って複数の発光素子23が配列され、径方向に複数列の発光素子列24が設けられている。図３および図４には、内径側から外径側に亘って径方向にＡ、Ｂ、Ｃの３列の発光素子列24が設けられた例を示すが、２列でもよく（図５および図６にＡ、Ｂの２列の発光素子列24が設けられた例を示す）、あるいは４列以上でも構わない。
【００２０】
また、光源カバー13は、光透過性を有する透明な樹脂材料によって一体に形成されている。透明な樹脂材料としては、例えばポリカーボネートが用いられている。
【００２１】
光源カバー13は、図１および図２に示すように、カバー部27、このカバー部27に設けられた環状のレンズ部28および環状の光透過部29を備えている。
【００２２】
カバー部27は、発光モジュール12の基板22全体を覆うように周方向に沿って環状に形成されている。カバー部27の裏面側（上面側）には、光源カバー13の回動によってそれぞれ器具本体11に着脱可能に係止される複数の係止爪30が突設されている。カバー部27は、器具本体11に取り付けられることにより、器具本体11との間に発光モジュール12の基板22を保持する。
【００２３】
レンズ部28は、発光モジュール12の複数列の発光素子列24のいずれかに対向するように環状に設けられている。レンズ部28は、対向する発光素子列24の発光素子23からの光を入射するとともに出射する光のうちの主に径方向の配光を制御する。レンズ部28は、カバー部27の表面から周方向に沿って突出されており、レンズ部28の裏面側に発光素子23を収容する凹部31が周方向に沿って形成されている。この凹部31の内面に断面凹面状の入射面32が形成され、レンズ部28の表面に断面凸面状の出射面33が形成されている。
【００２４】
光透過部29は、複数列の発光素子列24のいずれかに対向するように周方向に沿って環状に設けられている。光透過部29は、対向する発光素子列24の発光素子23からの光を透過させるものであり、レンズ部28に比べて光透過効率が高く、光透過損失が少ない。光透過部29は、カバー部27の表面から周方向に沿って突出されており、光透過部29の裏面側に発光素子23を収容する凹部34が周方向に沿って設けられている。
【００２５】
カバー部27からの光透過部29の突出高さは、レンズ部28の突出高さよりも低く、レンズ部28から出射する配光制御された光を遮らないように構成されている。
【００２６】
光透過部29の厚みは、光透過効率の向上のために、レンズ部28よりも薄く、均一の厚みに形成されている。
【００２７】
光透過部29の形状は、曲面で構成されるドーム状で、輝線の発生の原因となる角部のない形状となっている。
【００２８】
また、セード14は、透光性および拡散性を有する乳白色の樹脂材料によって一体に形成されている。セード14は、上面側が開口され、下面側がドーム状に膨らんだ形状に形成されている。セード14の上面側の開口縁部が、器具本体11の周辺部に嵌合されるとともに、セードの回動操作によって複数のセード取付金具20に着脱可能に取り付けられる。そして、セード14によって、発光モジュール12および光源カバー13を含む器具本体11の下面側が覆われる。
【００２９】
また、電源回路15は、引掛シーリングおよびアダプタを通じて入力される交流電源を所定の直流電源に変換して発光モジュール12に供給し、複数の発光素子23を点灯させる。
【００３０】
また、電源カバー16は、器具本体11の上面に取り付けられており、内側に電源回路15を収納している。
【００３１】
そして、図１および図２には、発光素子列24が径方向にＡ、Ｂ、Ｃの３列の場合を示す。
【００３２】
図１には、光源カバー13の内径側および外径側の２列の発光素子列24に対向して光透過部29が設けられ、内径側と外径側との中間の１列の発光素子列24に対向してレンズ部28が設けられた場合を示している。
【００３３】
図２には、光源カバー13の内径側と外径側との中間の１列の発光素子列24に対向して光透過部29が設けられ、内径側および外径側の２列の発光素子列24に対向してレンズ部28が設けられた場合を示している。なお、この光源カバー13を、図３および図４の基本となる照明器具10の構成に示している。
【００３４】
また、図５および図６には、発光素子列24が径方向にＡ、Ｂの２列の場合を示す。
【００３５】
図５には、光源カバー13の外径側の発光素子列24に対向して光透過部29が設けられ、内径側の発光素子列24に対向してレンズ部28が設けられた場合を示している。
【００３６】
図６には、光源カバー13の内径側の発光素子列24に対向して光透過部29が設けられ、外径側の発光素子列24に対向してレンズ部28が設けられた場合を示している。
【００３７】
そして、図７ないし図１０に、発光素子列24が径方向にＡ、Ｂの２列の場合で、発光モジュール12を点灯させたときのセード14の正面視の輝度分布図を示す。
【００３８】
図７は、光源カバー13の内径側および外径側ともレンズ部28の場合の輝度分布図である。この場合、セード14の輝度むらが少なく、均斉度がよいが、２列ともレンズ部28であることから光透過損失が大きくなり、光が器具外に取り出される光取出効率が低い。
【００３９】
図８は、光源カバー13がない場合のセード14の正面視の輝度分布図である。この場合、光取出効率が高いが、セード14の輝度むらが発生し、均斉度が低い。
【００４０】
図９は、図６に示したように、光源カバー13の内径側にレンズ部28、外径側に光透過部29を設けた場合のセード14の正面視の輝度分布図である。この場合、図８に比べて輝度むらが少なく、均斉度が確保されるとともに、図７に比べて光透過部29を備えることで光取出効率が向上する。
【００４１】
図１０は、図５に示したように、光源カバー13の内径側に光透過部29、外径側にレンズ部28を有する場合のセード14の正面視の輝度分布図である。この場合、図８および図９に比べて輝度むらが少なく、均斉度が向上するとともに、図７に比べて光透過部29を備えることで光取出効率が向上する。
【００４２】
したがって、発光素子列24が径方向にＡ、Ｂの２列の場合、光源カバー13の内径側および外径側のいずれか一方にレンズ部28を設け、他方に光透過部29を設ければ、セード14の均斉度を確保しつつ、光取出効率を向上することができる。
【００４３】
さらに、発光素子列24が径方向にＡ、Ｂの２列で、光源カバー13の内径側に光透過部29を設け、外径側にレンズ部28を設けた場合、その逆の場合に比べて、セード14の均斉度をより向上できる。
【００４４】
また、図１および図２に示したように、発光素子列24が径方向にＡ、Ｂ、Ｃの３列の場合にも同様に、光源カバー13の少なくとも１列に光透過部29を設けることにより、セード14の均斉度を確保しつつ、光取出効率を向上させることができる。
【００４５】
この場合、図１に示したように、光源カバー13の内径側および外径側の２列に光透過部29を設け、内径側と外径側との中間の１列にレンズ部28を設けてもよいし、また、図２に示したように、光源カバー13の内径側と外径側との中間の１列に光透過部29を設け、内径側および外径側の２列にレンズ部28を設けてもよい。
【００４６】
図１に示したように、光源カバー13に１列のレンズ部28と２列の光透過部29を設けることにより、セード14の均斉度を確保しつつ、光取出効率をより向上できる。
【００４７】
図２に示したように、光源カバー13に２列のレンズ部28と１列の光透過部29を設けることにより、セード14の均斉度を確保しつつ、光取出効率を向上できる。
【００４８】
そして、光源カバー13のレンズ部28と光透過部29との関係は、セード14の均斉度を確保するうえでは、光源カバー13の内径側に光透過部29が設けられ、外径側にレンズ部28が設けられていることが好ましい。
【００４９】
さらに、発光素子列24の列数にかかわらず、レンズ部28と光透過部29とが径方向に隣り合って設けられていることが好ましい。例えば、発光素子列24が径方向にＡ、Ｂ、Ｃの３列の場合、２列の光透過部29が隣り合っている場合、および２列のレンズ部28が隣り合っている場合とも、セード14の均斉度が低下しやすい。
【００５０】
以上のように、本実施形態の照明器具によれば、発光モジュール12の複数列の発光素子列24に対応して、光源カバー13に環状のレンズ部28と環状の光透過部29を備えることにより、セード14の均斉度を確保しつつ、光取出効率を向上することができる。
【００５１】
また、光透過部29は光源カバー13の内径側に設けることにより、セード14の均斉度を向上できる。
【００５２】
さらに、レンズ部28と光透過部29を径方向に隣り合うように設けることにより、セード14の均斉度を向上できる。
【００５３】
また、光源カバー13のレンズ部28および光透過部29を環状に設けているため、発光素子列24の発光素子23の数や位置が異なっていても、光源カバー13を共通化できる。
【００５４】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００５５】
10    照明器具
11    器具本体
12    発光モジュール
13    光源カバー
14    セード
22    基板
23    発光素子
24    発光素子列
28    レンズ部
29    光透過部
【図１】
2018163785.tif 000003
【図２】
2018163785.tif 000004
【図３】
2018163785.tif 000005
【図４】
2018163785.tif 000006
【図５】
2018163785.tif 000007
【図６】
2018163785.tif 000008
【図７】
2018163785.tif 000009
【図８】
2018163785.tif 000010
【図９】
2018163785.tif 000011
【図１０】
2018163785.tif 000012